(57)【要約】      （修正有）【課題】室内環境と高齢者の健康との関連をモニタリングするＩｏＴシステム及びモニタリング方法を提供する。【解決手段】環境と高齢者の健康との関連をモニタリングするＩｏＴシステムは、環境及び健康パラメータモニタリングシステムとＩｏＴデータ関連プラットフォームとを含み、環境及び健康パラメータモニタリングシステムは、給電システムと空気品質モニタリングシステムと生理パラメータモニタリングシステムとＳＴＭ３２マイクロコントローラとＧＰＲＳ無線通信モジュールとを含む。ＩｏＴデータ関連プラットフォームは、データ受信ＡＰＩインターフェースとクラウドサーバーとデータ視覚化ターミナルとを含み、環境及び健康パラメータモニタリングシステムがＧＰＲＳ無線通信モジュール及びデータ受信ＡＰＩインターフェースを通じてＩｏＴデータ関連プラットフォームとデータを伝送する。【選択図】図１
2020166801.tif 000002
【特許請求の範囲】
【請求項１】
環境と高齢者の健康との関連をモニタリングするＩｏＴシステムであって、環境及び健康パラメータモニタリングシステムとＩｏＴデータ関連プラットフォームとを含み、前記環境及び健康パラメータモニタリングシステムは、給電システムと空気品質モニタリングシステムと生理パラメータモニタリングシステムとＳＴＭ３２マイクロコントローラとＧＰＲＳ無線通信モジュールとを含み；ＩｏＴデータ関連プラットフォームは、データ受信ＡＰＩインターフェースとクラウドサーバーとデータ視覚化ターミナルとを含み、環境及び健康パラメータモニタリングシステムがＧＰＲＳ無線通信モジュール及びデータ受信ＡＰＩインターフェースを通じてＩｏＴデータ関連プラットフォームとデータを伝送する
ことを特徴とする環境と高齢者の健康との関連をモニタリングするＩｏＴシステム。
【請求項２】
前記給電システムは、電源モジュールとＵＳＢ充電ポートと回路スイッチとを含み、空気品質モニタリングシステムが温湿度センサーモジュールと粒子状物質センサーモジュールから成り、生理パラメータモニタリングシステムが心拍数センサーモジュールと血圧センサーモジュールから成り、温湿度センサーモジュールがＩＯポートを通じてＳＴＭ３２マイクロコントローラと単線双方向データ通信を実現し、粒子状物質センサーモジュール、心拍数センサーモジュール及び血圧センサーモジュールがＵＡＲＴ通信を通じて各々ＳＴＭ３２マイクロコントローラとデータを送信し、クラウドサーバーがリレーショナルデータベースと、環境と健康の関連付けアルゴリズムモジュールから成る
請求項１に記載の環境と高齢者の健康との関連をモニタリングするＩｏＴシステム。
【請求項３】
請求項１に記載の環境と高齢者の健康との関連をモニタリングするＩｏＴシステムのモニタリング方法であって、
回路スイッチを閉路し、回路を導通し、ＳＴＭ３２マイクロコントローラが信号を送信して各々温湿度センサーモジュール、粒子状物質センサーモジュール、血圧センサーモジュール及び心拍数センサーモジュールをウェークアップし、モニタリングした温度と湿度データ、ＰＭ１０とＰＭ２．５のデータ、血圧データと心拍数のデータをＳＴＭ３２マイクロコントローラに伝送するステップ１）と、
ＳＴＭ３２マイクロコントローラは、受信した温度、湿度、ＰＭ１０とＰＭ２．５、血圧と心拍数のデータを処理した後、ＧＰＲＳ無線通信モジュールに伝送するステップ２）と、
ＧＰＲＳ無線通信モジュールは、データを受信した後、アンテナを通じてデータをデータ受信ＡＰＩインターフェースに送信し、データ受信ＡＰＩインターフェースが同時に他のＩｏＴプラットフォームからの異なる環境及び健康モニタリング設備のデータを受信するステップ３）と、
データ受信ＡＰＩインターフェースは、受信した全てのデータをリレーショナルデータベースに伝送し、リレーショナルデータベースが各住宅の全てのデータを1つのデータセットとして保存するステップ４）と、
リレーショナルデータベース内に保存された全てのデータは、環境と健康の関連付けアルゴリズムを通じて演算され、各高齢者ユーザーに適する環境と健康のリレーショナルモデルが得られ、前記モデルにリアルタイム環境パラメータを入力し、環境と健康のリレーショナルモデルがリアルタイムで前記環境による健康リスクの状況を出力して表示し、高齢者ユーザーがデータ視覚化ターミナルを通じて自身に関する全てのデータ及び現在位置の環境が自分に与える健康リスク状況を閲覧するステップ５）と、を含む
ことを特徴とするモニタリング方法。
【発明の詳細な説明】
【技術分野】
【０００１】
本発明は、環境と健康のモニタリング、情報通信及びデータアルゴリズム分野に属し、特に、室内環境と高齢者の健康との関連をモニタリングするＩｏＴシステム及びモニタリング方法に関する。
【背景技術】
【０００２】
現代社会の経済が飛躍的に発展するにつれ、冷房と暖房等の環境調節設備は、人体の快適性を満たす室内の熱環境をつくっているが、冷房／暖房部屋と非冷房／暖房部屋の間に大きな温度差が生じてしまい、人間がこの２つの環境間を移動する時、急激な温度差が人の体に大きな負担となり、例えば風邪をひいたり体調を崩したりしてしまい、特に、高齢者にとって、脳・心血管疾患（例えば脳卒中、心筋梗塞等）といった重篤な病気を引き起こしやすい。同時に近年スモッグ問題が日増しに深刻化し、人間が活動する環境も粒子状物質の大気汚染により被害を受けている。粒子状物質の大気汚染（特に、ＰＭ２．５）は、高齢者の脳・心血管疾患の発症率を非常に増やしてしまい、高齢者の健康に対し非常に大きな脅威となっている。
【０００３】
中国の人口高齢化の進展が著しくなるに伴い、高齢者が健康に暮らせる環境への関心をより多く寄せられなければならない。現在、高齢者の生活環境のモニタリング技術において、大部分が部屋内に設けられる定点モニタリングであり、高齢者が部屋を離れた時、その環境モニタリング点のデータは、高齢者の現在位置の環境状態を非常に反映させにくい。また、一部はウェアラブルモニタリング装置があり、リアルタイムで人体周囲の空気品質をモニタリングできるが、温湿度と粒子状物質濃度のモニタリングを結合させ、かつ高齢者が健康的に暮らせる環境向けに開発された商品が非常に少ない。このような装置の通信方式は、主にブルートゥース（登録商標）及びＷｉＦｉであり、大部分の高齢者（特に、農村の高齢者）にとって、スマートフォンのブルートゥース（登録商標）をウェアラブルデバイスに接続する操作は、非常に複雑で学び難く、並びにホームネットワーク整備が不足しているため、このようなウェアラブルモニタリング装置が役目を果たすことが困難である。
【０００４】
更に、高齢者の体質の感受性により、周囲の空気環境の変化を受けた時、身体の生理的変化も発生する。生理指標の変化が高齢者の免疫限界を超えた時、様々な病気を引き起こし、脳・心血管疾患を主要な発症タイプである。現在の市場の設備メーカーは、自社の製品に専念しているため、高齢者ユーザーが異なるメーカーが製造した設備を使用する時、異なるメーカーの設備間のデータは往々にして通用できない。これは、高齢者の住まい環境と健康関連の全体的な評価及びモニタリングに対し、一定の支障が生じ、同時に各メーカーが異なるデータプラットフォームを使用しているからである。これは、高齢者ユーザーの使用上に非常に大きな困難度を与える。
【０００５】
特許文献１では、ＩｏＴをベースにした住まいの健康管理システムであって、管理装置がインターフェースを通じて、健康管理情報を提供し、また健康管理情報に基づき制御信号を生成し、並びに制御信号に基づき家電を制御することが開示されている。ただしそのシステムは、人体が移動した時の周辺環境モニタリングに欠け、同時に健康管理情報に基づき制御信号を生成する方法が、調節効果を奏するものであるが、ユーザーの人為的な調整によらなければならず、異なる環境における適応性にも欠ける。
【先行技術文献】
【特許文献】
【０００６】
【特許文献１】中国特許番号第ＣＮ２０１５１０６９８６７５号
【発明の概要】
【発明が解決しようとする課題】
【０００７】
本発明は、従来技術に存在する問題点を解決するため、環境及び健康パラメータのウェアラブルモニタリングシステムとＩｏＴデータ関連プラットフォームを結合させ、ＧＰＲＳ無線通信技術を利用して環境と健康モニタリングデータのリアルタイムアップロードを実現し、並びにリアルタイムでその環境による健康リスク状況を出力して表示する室内環境と高齢者の健康との関連をモニタリングするＩｏＴシステム及びモニタリング方法を提供することである。
【課題を解決するための手段】
【０００８】
環境と高齢者の健康との関連をモニタリングするＩｏＴシステムであって、環境及び健康パラメータモニタリングシステムとＩｏＴデータ関連プラットフォームとを含み、前記環境及び健康パラメータモニタリングシステムは、給電システムと空気品質モニタリングシステムと生理パラメータモニタリングシステムとＳＴＭ３２マイクロコントローラとＧＰＲＳ無線通信モジュールとを含み；ＩｏＴデータ関連プラットフォームは、データ受信ＡＰＩインターフェースとクラウドサーバーとデータ視覚化ターミナルとを含み、環境及び健康パラメータモニタリングシステムがＧＰＲＳ無線通信モジュール及びデータ受信ＡＰＩインターフェースを通じてＩｏＴデータ関連プラットフォームとデータを伝送する。
【０００９】
前記給電システムは、電源モジュールとＵＳＢ充電ポートと回路スイッチとを含み、空気品質モニタリングシステムが温湿度センサーモジュールと粒子状物質センサーモジュールから成り、生理パラメータモニタリングシステムが心拍数センサーモジュールと血圧センサーモジュールから成り、温湿度センサーモジュールがＩＯポートを通じてＳＴＭ３２マイクロコントローラと単線双方向データ通信を実現し、粒子状物質センサーモジュール、心拍数センサーモジュール及び血圧センサーモジュールがＵＡＲＴ通信を通じて各々ＳＴＭ３２マイクロコントローラとデータを送信し、クラウドサーバーがリレーショナルデータベースと、環境と健康の関連付けアルゴリズムモジュールから成る。
【００１０】
前記環境と高齢者の健康との関連をモニタリングするＩｏＴシステムのモニタリング方法は、
回路スイッチを閉路し、回路を導通し、ＳＴＭ３２マイクロコントローラが信号を送信して各々温湿度センサーモジュール、粒子状物質センサーモジュール、血圧センサーモジュール及び心拍数センサーモジュールをウェークアップし、モニタリングした温度と湿度データ、ＰＭ１０とＰＭ２．５のデータ、血圧データと心拍数のデータをＳＴＭ３２マイクロコントローラに伝送するステップ１）と、
ＳＴＭ３２マイクロコントローラは、受信した温度、湿度、ＰＭ１０とＰＭ２．５、血圧と心拍数のデータを処理した後、ＧＰＲＳ無線通信モジュールに伝送するステップ２）と、
ＧＰＲＳ無線通信モジュールは、データを受信した後、アンテナを通じてデータをデータ受信ＡＰＩインターフェースに送信し、データ受信ＡＰＩインターフェースが同時に他のＩｏＴプラットフォームからの異なる環境及び健康モニタリング設備のデータを受信するステップ３）と、
データ受信ＡＰＩインターフェースは、受信した全てのデータをリレーショナルデータベースに伝送し、リレーショナルデータベースが各住宅の全てのデータを1つのデータセットとして保存するステップ４）と、
リレーショナルデータベース内に保存された全てのデータは、環境と健康の関連付けアルゴリズムを通じて演算され、各高齢者ユーザーに適する環境と健康のリレーショナルモデルが得られ、前記モデルにリアルタイム環境パラメータを入力し、環境と健康のリレーショナルモデルがリアルタイムで前記環境による健康リスクの状況を出力して表示し、高齢者ユーザーがデータ視覚化ターミナルを通じて自身に関する全てのデータ及び現在位置の環境が自分に与える健康リスク状況を閲覧するステップ５）と、
を含む。
【発明の効果】
【００１１】
この環境と高齢者の健康との関連をモニタリングするＩｏＴシステムであって、環境及び健康パラメータモニタリングシステムとＩｏＴデータ関連プラットフォームとを含み、環境及び健康パラメータモニタリングシステムは、給電サブシステムと空気品質モニタリングサブシステムと生理パラメータモニタリングサブシステムとＳＴＭ３２マイクロコントローラとＧＰＲＳ無線通信モジュールとを含み；ＩｏＴデータ関連プラットフォームは、データ受信ＡＰＩインターフェースとクラウドサーバーとデータ視覚化ターミナルとを含み、環境及び健康パラメータモニタリングシステムがＧＰＲＳ無線通信モジュール及びデータ受信ＡＰＩインターフェースを通じてＩｏＴデータ関連プラットフォームとデータを伝送する。本発明の技術的解決策は、環境及び健康パラメータモニタリングシステムとＩｏＴデータ関連プラットフォームを結合することで、リアルタイムで異なる場所の環境要因の高齢者の健康に対する影響状況をモニタリングでき、同時に前記ＩｏＴデータ関連プラットフォームは他のＩｏＴの環境及び健康モニタリング設備のため統一された通信インターフェースを提供し、ユーザー住宅の住所、高齢者に関する情報等のデータを紐付けることによって、異なるメーカーの異なる設備でモニタリングした環境及び健康データを統合し、高齢者ユーザーが自分の状況及び好みに応じてモニタリングされたデータタイプ（例えば温度、相対湿度、二酸化炭素の濃度、ホルムアルデヒド濃度、ＰＭ２．５濃度、血圧、心拍数、睡眠等のデータパラメータである）を自主的に選択できる。全てのデータは、クラウドサーバーのリレーショナルデータベースにアップロードされ、各高齢者ユーザーのためにその自分の身体健康状況に合致した環境と健康のリレーショナルモデルを提供する。物理的な体積が比較的小さく、ウェアラブル方式を通じて体外に固定できる。構築されたＩｏＴ環境と健康関連データプラットフォームは、高齢者の現在位置環境の温湿度及び粒子状物質濃度の変化のリモートオンラインモニタリング、及びグ高齢者の血圧と心拍数のリモートオンラインモニタリングを実現でき、入力された環境データを通じてリアルタイムで健康リスクを予測でき、高齢者ユーザーは複雑な操作を必要とせず、データ視覚化ターミナルを通じて自身に関する全てのデータ及び現在位置の環境が自分に与える健康リスク状況を閲覧できる。
【図面の簡単な説明】
【００１２】
【図１】環境及び健康パラメータモニタリングシステムの構造図
【図２】環境及び健康パラメータモニタリングシステムの回路図
【図３】ＩｏＴデータ関連プラットフォームの構造図
【図４】環境と健康の関連付けアルゴリズムブロック図
【発明を実施するための形態】
【００１３】
以下、添付図面及び具体的実施形態を結合して本発明の技術的解決策について説明する。
【００１４】
図１は、環境及び健康パラメータモニタリングシステムの構造図である。この環境と高齢者の健康との関連をモニタリングするＩｏＴシステムは、環境及び健康パラメータモニタリングシステムとＩｏＴデータ関連プラットフォームとを含み、前記環境及び健康パラメータモニタリングシステムは、給電システムと空気品質モニタリングシステムと生理パラメータモニタリングシステムとＳＴＭ３２マイクロコントローラとＧＰＲＳ無線通信モジュールとを含み；ＩｏＴデータ関連プラットフォームは、データ受信ＡＰＩインターフェースとクラウドサーバーとデータ視覚化ターミナルとを含み、環境及び健康パラメータモニタリングシステムがＧＰＲＳ無線通信モジュール及びデータ受信ＡＰＩインターフェースを通じてＩｏＴデータ関連プラットフォームとデータを伝送する。
【００１５】
給電システムは、電源モジュールとＵＳＢ充電ポートと回路スイッチとを含み、空気品質モニタリングシステムが温湿度センサーモジュールと粒子状物質センサーモジュールから成り、生理パラメータモニタリングシステムが心拍数センサーモジュールと血圧センサーモジュールから成り、温湿度センサーモジュールがＩＯポートを通じてＳＴＭ３２マイクロコントローラと単線双方向データ通信を実現し、粒子状物質センサーモジュール、心拍数センサーモジュール及び血圧センサーモジュールがＵＡＲＴ通信を通じて各々ＳＴＭ３２マイクロコントローラとデータを送信し、クラウドサーバーがリレーショナルデータベースと、環境と健康の関連付けアルゴリズムモジュールから成る。
【００１６】
この環境と高齢者の健康との関連をモニタリングするＩｏＴシステムのモニタリング方法は、
回路スイッチを閉路し、回路を導通し、ＳＴＭ３２マイクロコントローラが信号を送信して各々温湿度センサーモジュール、粒子状物質センサーモジュール、血圧センサーモジュール及び心拍数センサーモジュールをウェークアップし、モニタリングした温度と湿度データ、ＰＭ１０とＰＭ２．５のデータ、血圧データと心拍数のデータをＳＴＭ３２マイクロコントローラに伝送するステップ１）と、
ＳＴＭ３２マイクロコントローラは、受信した温度、湿度、ＰＭ１０とＰＭ２．５、血圧と心拍数のデータを処理した後、ＧＰＲＳ無線通信モジュールに伝送するステップ２）と、
ＧＰＲＳ無線通信モジュールは、データを受信した後、アンテナを通じてデータをデータ受信ＡＰＩインターフェースに送信し、データ受信ＡＰＩインターフェースが同時に他のＩｏＴプラットフォームからの異なる環境及び健康モニタリング設備のデータを受信するステップ３）と、
データ受信ＡＰＩインターフェースは、受信した全てのデータをリレーショナルデータベースに伝送し、リレーショナルデータベースが各住宅の全てのデータを1つのデータセットとして保存するステップ４）と、
リレーショナルデータベース内に保存された全てのデータは、環境と健康の関連付けアルゴリズムを通じて演算され、各高齢者ユーザーに適する環境と健康のリレーショナルモデルが得られ、前記モデルにリアルタイム環境パラメータを入力し、環境と健康のリレーショナルモデルがリアルタイムで前記環境による健康リスクの状況を出力して表示し、高齢者ユーザーがデータ視覚化ターミナルを通じて自身に関する全てのデータ及び現在位置の環境が自分に与える健康リスク状況を閲覧するステップ５）と、
を含む。
【００１７】
この環境と高齢者の健康との関連をモニタリングするＩｏＴシステムの具体的動作原理としては、次の通りである。回路スイッチを閉路して回路を導通する。一方、ＳＴＭ３２マイクロコントローラは、Ｂ３データポート（ＩＯデータ伝送ポート）を通じて信号を送信して温湿度センサーモジュールをウェークアップし、温湿度センサーが動作し始め、モニタリングした温度及び相対データがＤＡＴＡデータポートを通じてＳＴＭ３２マイクロコントローラのＢ３データポートに送信され、１回につき４０ｂｉｔサイズのデータ（温度、相対湿度及び校正値を含む）が伝送される。同時に、ＳＴＭ３２マイクロコントローラは、ＵＡＲＴ通信を通じて粒子状物質センサーモジュールをウェークアップして、粒子状物質センサーが動作し始め、モニタリングしたＰＭ１０及びＰＭ２．５のデータがＵＡＲＴ通信を通じてＳＴＭ３２マイクロコントローラに伝送され、すなわち、ＳＴＭ３２マイクロコントローラのＡ９データポート及びＡ１０データベースを通じて各々粒子状物質センサーのＴＸＤデータポート及びＲＸＤデータポートとデータ通信させ、１６進数のデジタル信号を通じてＰＭ１０及びＰＭ２．５の濃度値を伝送し、毎回伝送されるデータサイズが８０ｂｉｔである。もう一方、ＳＴＭ３２マイクロコントローラは、ＵＡＲＴ通信を通じて血圧センサーモジュール及び心拍数センサーモジュールをウェークアップして、血圧センサーモジュール及び心拍数センサーモジュールが動作し始め、モニタリングした血圧及び心拍数データがＵＡＲＴ通信を通じてＳＴＭ３２マイクロコントローラに伝送され、すなわち、ＳＴＭ３２マイクロコントローラのＢ４データポート及びＢ５データポートを通じて各々血圧センサーのＴＸＤデータポート及びＲＸＤデータポートとデータ通信させ、ＳＴＭ３２マイクロコントローラのＢ６データポート及びＢ７データポートが各々心拍数センサーのＴＸＤデータポート及びＲＸＤデータポートとデータ通信させ、血圧（拡張期圧及び収縮期圧を含む）と心拍数のデータがいずれも１６進数のデジタル信号を通じて伝送され、血圧の毎回伝送されるデータサイズが８０ｂｉｔで、心拍数の毎回伝送されるデータサイズが４０ｂｉｔである（図２）。
【００１８】
ＳＴＭ３２マイクロコントローラは、温湿度、粒子状物質、血圧と心拍数のデータを受信した後、データを処理し、１６進数のデジタル信号を１０進数の文字列タイプに変換し、ＵＡＲＴ通信を通じてＧＰＲＳ無線通信モジュールに伝送し、すなわち、Ａ２データポート及びＡ３データポートが各々Ｇ５１０ＧＰＲＳ無線通信モジュールのＴＸデータポート及びＲＸデータポートと通信する。ＧＰＲＳ無線通信モジュールは、データを受信した後、アンテナを通じてデータ受信ＡＰＩインターフェースに送信し、データ受信ＡＰＩインターフェースがデータをＩｏＴデータ関連プラットフォームにアップロードする。同時に、ＩｏＴデータ関連プラットフォームは、データ受信ＡＰＩインターフェースを通じて他の第三者ＩｏＴプラットフォームと接続し、データ受信ＡＰＩインターフェースが他のＩｏＴプラットフォームからの複数の環境及び健康モニタリング設備のデータを同時に収集する。データ受信ＡＰＩインターフェースは、受信した全てのデータをリレーショナルデータベースに伝送し、リレーショナルデータベースが各住宅のデータを１つのデータセットとして保存する。環境と健康の関連付けアルゴリズムモジュールは、リレーショナルデータベース内のデータセットを深層学習ネットワークにより訓練し、各住宅の環境と健康のリレーショナルモデルが得られ、前記モデルにリアルタイム環境パラメータを入力した時、リアルタイムでその環境による健康リスク状況を出力して表示できる。高齢者ユーザーは、データ視覚化ターミナル（例えば、ＰＣ側及びモバイルクライアント側）を通じて自分に関するデータ及び現在位置の環境が自分に与える健康リスク状況を閲覧できる（図３）。
【００１９】
環境と健康の関連付けアルゴリズムモジュールは、主に深層学習ネットワークの構築を通じて、高齢者ユーザーの生活中で提供される日常環境及び健康のデータをその高齢者ユーザーが居住する住宅及びその健康パラメータ予測のみに適したパソナル深層学習ネットワークモデルを訓練する。一定の時間尺度内において、環境パラメータを入力パラメータｘ、健康データを出力パラメータｙとして選択し、深層学習ネットワークモデルを通じて計算した後、予測値ｙ’＝ｗｘ＋ｂが得られ、ｙ’及びｙ構造の損失関数及び代価関数に基づき、勾配降下法によりウェイトパラメータｗとｂを更新し、最終的にパソナル環境と健康のリレーショナルモデルを訓練し、同時に毎日のデータを改めて訓練データとし、パソナル深層学習ネットワークモデルを完備し続ける。前記モデルは、高齢者に関する環境データを入力パラメータとし、出力した健康データリスクをその環境の健康予測結果とし、ＩｏＴデータ関連プラットフォームのデジタル視覚化ターミナルを通じてその環境による健康リスク状況をリアルタイム表示する（図４）。
【産業上の利用可能性】
【００２０】
上述をまとめると、この環境と高齢者の健康との関連をモニタリングするＩｏＴシステムは、物理的な体積が比較的小さく、ウェアラブル方式を通じて体外に固定でき、例えば、胸部に装着或いは腕上に付ける。構築されたＩｏＴ環境と健康関連データプラットフォームは、高齢者の現在位置環境の温湿度及び粒子状物質濃度の変化のリモートオンラインモニタリング、及びグ高齢者の血圧と心拍数のリモートオンラインモニタリングを実現でき、並びに環境と健康のリレーショナルモデルを構築し、環境データを通じてリアルタイムで健康リスクを予測できる。医療従事者、家族及び高齢者自身にも適し、高齢者の健康に暮らすニーズを満たす。ある地域のユーザー数が一定程度まで増えると、この地域の基礎科学研究と政府関係機関にデータ上の意思決定根拠として提供できる。
【図１】
2020166801.tif 000003
【図２】
2020166801.tif 000004
【図３】
2020166801.tif 000005
【図４】
2020166801.tif 000006